【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
支持体上に被管理情報を目視可能な画像情報として有する記録媒体の該画像情報を、管理データにより管理する画像情報の処理方法であって、該画像情報は、エネルギー印加によって複数色の画像の形成と消去が可能でありかつエネルギー印加なしに保持される可逆性カラー画像情報であり、該管理データが予め定められた数値を外れると、該画像情報の書替操作により該画像の色もしくは地肌の色が変わることを特徴とする画像情報の処理方法。
【請求項２】
支持体上に、被管理情報を目視可能な画像情報として有し、かつ、該被管理情報を管理するための管理データを格納せる情報記憶部を有する記録媒体の画像情報を、該管理データにより管理する画像情報の処理方法であって、該画像情報は、エネルギー印加によって複数色の画像の形成と消去が可能でありかつエネルギー印加なしに保持される可逆性カラー画像情報であり、該管理データが予め定められた数値を外れると、該画像情報の書替操作により該画像の色もしくは地肌の色が変わると共に、該情報記憶部に結果を更新記憶することを特徴とすることを特徴とする画像情報の処理方法。
【請求項３】
前記被管理情報が健康診断による測定結果であり、前記管理データが正常値と、異常値と、要注意値とを含み、該正常値、該異常値、該要注意値の違いにより、該被管理情報の色が異なることを特徴とする請求項１又は２に記載の画像情報の処理方法。
【請求項４】
前記被管理情報又は少なくとも前記管理データが期間データ又は期日データを含むことを特徴とする請求項１乃至３の何れか１に記載の画像情報の処理方法。
【請求項５】
支持体上に、被管理情報として目視可能な画像情報を有し、該画像情報が、管理データにより管理され、エネルギー印加によって複数色の画像の形成と消去による画像更新が可能でありかつエネルギー印加なしに保持される可逆性カラー画像情報である被管理情報を有する画像記録媒体の処理装置であって、該管理データを読込むための管理データ読込手段と、該記録媒体に熱及び／又は光エネルギーを印加するためのエネルギー印加手段と、該エネルギー印加手段の駆動状態を制御するための駆動制御手段と、該エネルギー印加手段への通電量を制御するための通電量制御回路とを有し、該駆動制御手段及び／又は該通電量制御回路が、該管理データに基く入力信号により制御されることを特徴とする画像記録媒体の処理装置。
【請求項６】
支持体上に、被管理情報として目視可能な画像情報を有し、かつ、該被管理情報を管理するための管理データを格納せる情報記憶部を有し、該画像情報が、管理データにより管理され、エネルギー印加によって複数色の画像の形成と消去による画像更新が可能でありかつエネルギー印加なしに保持される可逆性カラー画像情報である被管理情報を有する画像記録媒体の処理装置であって、該情報記憶部に格納された管理データを更新するための管理データ更新手段と、該記録媒体に熱及び／又は光エネルギーを印加するためのエネルギー印加手段と、該エネルギー印加手段の駆動状態を制御するための駆動制御手段と、該エネルギー印加手段への通電量を制御するための通電量制御回路とを有し、該駆動制御手段及び／又は該通電量制御回路が、該管理データに基く入力信号により制御されると共に、該管理データが更新されることを特徴とする画像記録媒体の処理装置。
【請求項７】
前記エネルギー印加手段が、熱エネルギー印加手段であり、前記画像更新が、既に形成されていた画像の消去と新たな画像の形成とを含むことを特徴とする請求項５又は６に記載の画像記録媒体の処理装置。
【請求項８】
前記熱エネルギー印加手段が、サーマルヘッドであることを特徴とする請求項７に記載の画像記録媒体の処理装置。
【請求項９】
前記既に形成されていた画像の消去が、サーマルヘッドの前に配置された熱ロールにより行われることを特徴とする請求項８に記載の画像記録媒体の処理装置。
【請求項１０】
前記被管理情報が、ロイコ染料と長鎖アルキル基を有する顕色剤とからなる画像形成材料に形成された画像情報であることを特徴とする請求項５又は６に記載の画像記録媒体の処理装置。
【請求項１１】
前記被管理情報が、液晶中分子を含む画像形成材料に形成された光反射性の画像情報であることを特徴とする請求項５又は６に記載の画像記録媒体の処理装置。
【請求項１２】
前記画像情報が、光透過性支持体上に設けられていることを特徴とする請求項１０又は１１に記載の画像記録媒体の処理装置。
【請求項１３】
前記画像情報を読み取るための光センサを更に有することを特徴とする請求項１２に記載の画像記録媒体の処理装置。
【請求項１４】
前記管理データを格納せる情報記憶部としての該管理データを呼出し可能に格納するための第１のメモリと、標準管理データを予め格納するための第２のメモリと、ＣＰＵを有し、該第１のメモリに格納された管理データ及び第２のメモリに格納された標準管理データを該ＣＰＵ上で、比較を含む演算をすることができることを特徴とする請求項５又は６に記載の画像記録媒体の処理装置。
【請求項１５】
前記ＣＰＵでの演算の結果を、呼出し可能に前記第１のメモリに再度入力して、前記管理データを更新することを特徴とする請求項１４に記載の画像記録媒体の処理装置。
【請求項１６】
前記サーマルヘッドに前記画像記録媒体を搬送し、該画像記録媒体を装置外に搬出する記録媒体搬送手段と、該記録媒体搬送手段のための搬送駆動手段と、該搬送駆動手段のための搬送駆動制御手段をさらに有することを特徴とする請求項８に記載の画像記録媒体の処理装置。
【請求項１７】
前記ＣＰＵが、前記光センサ、前記第１のメモリ及び第２のメモリ、前記搬送駆動制御手段、通電制御回路、前記サーマルヘッド駆動制御手段のうちの少なくとも２つ以上に情報信号を入出力する入出力ポートを有し、かつ、該入出力ポートにおける信号の入出力順序を定めたシーケンスプログラムを格納させる第３のメモリをさらに有することを特徴とする請求項１４又は１５に記載の画像記録媒体の処理装置。
【請求項１８】
前記被管理情報が健康診断による測定結果であり、前記管理データが正常値と、異常値と、要注意値とを含み、該正常値、該異常値、該要注意値の違いにより、該被管理情報の色が異なることを特徴とする請求項５又は６に記載の画像記録媒体の処理装置。
【請求項１９】
前記被管理情報又は少なくとも前記管理データが期間データ又は期日データを含むことを特徴とする請求項５乃至７の何れか１に記載の画像記録媒体の処理装置。
【請求項２０】
支持体上に、管理データにより管理される被管理情報を目視可能な画像情報として有する記録媒体であって、該画像情報は、エネルギー印加によって複数色の画像の形成と消去が可能でありかつエネルギー印加なしに保持される可逆性カラー画像情報であり、該管理データが予め定められた数値を外れると、該画像情報の書替操作により該画像の色もしくは地肌の色が変わることを特徴とする可逆性カラー画像記録媒体。
【請求項２１】
支持体上に、情報記憶部に格納された管理データにより被管理情報を目視可能な画像情報として有する記録媒体であって、該画像情報は、エネルギー印加によって複数色の画像の形成と消去が可能でありかつエネルギー印加なしに保持される可逆性カラー画像情報であり、該管理データが予め定められた数値を外れると、該画像情報の書替操作により該画像の色もしくは地肌の色が変わると共に、該情報記憶部に結果が更新記憶されることを特徴とすることを特徴とする可逆性カラー画像記録媒体。
【請求項２２】
前記被管理情報が健康診断による測定結果であり、前記管理データが正常値と、異常値と、要注意値とを含み、該正常値、該異常値、該要注意値の違いにより、該被管理情報の色が異なることを特徴とする請求項２０又は２１に記載の可逆性カラー画像記録媒体。
【請求項２３】
前記被管理情報又は少なくとも前記管理データが期間データ又は期日データを含むことを特徴とする請求項２０乃至２２の何れか１に記載の可逆性カラー画像記録媒体。
【請求項２４】
前記情報記憶部に、カード保有者に係るＩＤデータを付加記憶してなることを特徴とする請求項２３に記載の可逆性カラー画像記録媒体。
【手続補正２】
【補正対象書類名】明細書
【補正対象項目名】０００４
【補正方法】変更
【補正の内容】
【０００４】
【課題を解決するための手段】
上記課題は、本発明の（１）「支持体上に被管理情報を目視可能な画像情報として有する記録媒体の該画像情報を、管理データにより管理する画像情報の処理方法であって、該画像情報は、エネルギー印加によって複数色の画像の形成と消去が可能でありかつエネルギー印加なしに保持される可逆性カラー画像情報であり、該管理データが予め定められた数値を外れると、該画像情報の書替操作により該画像の色もしくは地肌の色が変わることを特徴とする画像情報の処理方法」、（２）「支持体上に、被管理情報を目視可能な画像情報として有し、かつ、該被管理情報を管理するための管理データを格納せる情報記憶部を有する記録媒体の画像情報を、該管理データにより管理する画像情報の処理方法であって、該画像情報は、エネルギー印加によって複数色の画像の形成と消去が可能でありかつエネルギー印加なしに保持される可逆性カラー画像情報であり、該管理データが予め定められた数値を外れると、該画像情報の書替操作により該画像の色もしくは地肌の色が変わると共に、該情報記憶部に結果を更新記憶することを特徴とすることを特徴とする画像情報の処理方法」、（３）「前記被管理情報が健康診断による測定結果であり、前記管理データが正常値と、異常値と、要注意値とを含み、該正常値、該異常値、該要注意値の違いにより、該被管理情報の色が異なることを特徴とする前記第（１）項又は第（２）項に記載の画像情報の処理方法」、（４）「前記被管理情報又は少なくとも前記管理データが期間データ又は期日データを含むことを特徴とする前記第（１）項乃至第（３）項の何れか１に記載の画像情報の処理方法」によって達成される。
【手続補正３】
【補正対象書類名】明細書
【補正対象項目名】０００５
【補正方法】変更
【補正の内容】
【０００５】
また上記課題は、本発明の（５）「支持体上に、被管理情報として目視可能な画像情報を有し、該画像情報が、管理データにより管理され、エネルギー印加によって複数色の画像の形成と消去による画像更新が可能でありかつエネルギー印加なしに保持される可逆性カラー画像情報である被管理情報を有する画像記録媒体の処理装置であって、該管理データを読込むための管理データ読込手段と、該記録媒体に熱及び／又は光エネルギーを印加するためのエネルギー印加手段と、該エネルギー印加手段の駆動状態を制御するための駆動制御手段と、該エネルギー印加手段への通電量を制御するための通電量制御回路とを有し、該駆動制御手段及び／又は該通電量制御回路が、該管理データに基く入力信号により制御されることを特徴とする画像記録媒体の処理装置」、（６）「支持体上に、被管理情報として目視可能な画像情報を有し、かつ、該被管理情報を管理するための管理データを格納せる情報記憶部を有し、該画像情報が、管理データにより管理され、エネルギー印加によって複数色の画像の形成と消去による画像更新が可能でありかつエネルギー印加なしに保持される可逆性カラー画像情報である被管理情報を有する画像記録媒体の処理装置であって、該情報記憶部に格納された管理データを更新するための管理データ更新手段と、該記録媒体に熱及び／又は光エネルギーを印加するためのエネルギー印加手段と、該エネルギー印加手段の駆動状態を制御するための駆動制御手段と、該エネルギー印加手段への通電量を制御するための通電量制御回路とを有し、該駆動制御手段及び／又は該通電量制御回路が、該管理データに基く入力信号により制御されると共に、該管理データが更新されることを特徴とする画像記録媒体の処理装置」、（７）「前記エネルギー印加手段が、熱エネルギー印加手段であり、前記画像更新が、既に形成されていた画像の消去と新たな画像の形成とを含むことを特徴とする前記第（５）項又は第（６）項に記載の画像記録媒体の処理装置」、（８）「前記熱エネルギー印加手段が、サーマルヘッドであることを特徴とする前記第（７）項に記載の画像記録媒体の処理装置」、（９）「前記既に形成されていた画像の消去が、サーマルヘッドの前に配置された熱ロールにより行われることを特徴とする前記第（８）項に記載の画像記録媒体の処理装置」、（１０）「前記被管理情報が、ロイコ染料と長鎖アルキル基を有する顕色剤とからなる画像形成材料に形成された画像情報であることを特徴とする前記第（５）項又は第（６）項に記載の画像記録媒体の処理装置」、（１１）「前記被管理情報が、液晶中分子を含む画像形成材料に形成された光反射性の画像情報であることを特徴とする前記第（５）項又は第（６）項に記載の画像記録媒体の処理装置」、（１２）「前記画像情報が、光透過性支持体上に設けられていることを特徴とする前記第（１０）項又は第（１１）項に記載の画像記録媒体の処理装置」、（１３）「前記画像情報を読み取るための光センサを更に有することを特徴とする前記第（１２）項に記載の画像記録媒体の処理装置」、（１４）「前記管理データを格納せる情報記憶部としての該管理データを呼出し可能に格納するための第１のメモリと、標準管理データを予め格納するための第２のメモリと、ＣＰＵを有し、該第１のメモリに格納された管理データ及び第２のメモリに格納された標準管理データを該ＣＰＵ上で、比較を含む演算をすることができることを特徴とする前記第（５）項又は第（６）項に記載の画像記録媒体の処理装置」、（１５）「前記ＣＰＵでの演算の結果を、呼出し可能に前記第１のメモリに再度入力して、前記管理データを更新することを特徴とする前記第（１４）項に記載の画像記録媒体の処理装置」、（１６）「前記サーマルヘッドに前記画像記録媒体を搬送し、該画像記録媒体を装置外に搬出する記録媒体搬送手段と、該記録媒体搬送手段のための搬送駆動手段と、該搬送駆動手段のための搬送駆動制御手段をさらに有することを特徴とする前記第（８）項に記載の画像記録媒体の処理装置」、（１７）「前記ＣＰＵが、前記光センサ、前記第１のメモリ及び第２のメモリ、前記搬送駆動制御手段、通電制御回路、前記サーマルヘッド駆動制御手段のうちの少なくとも２つ以上に情報信号を入出力する入出力ポートを有し、かつ、該入出力ポートにおける信号の入出力順序を定めたシーケンスプログラムを格納させる第３のメモリをさらに有することを特徴とする前記第（１４）項又は第（１５）項に記載の画像記録媒体の処理装置」、（１８）「前記被管理情報が健康診断による測定結果であり、前記管理データが正常値と、異常値と、要注意値とを含み、該正常値、該異常値、該要注意値の違いにより、該被管理情報の色が異なることを特徴とする前記第（５）項又は第（６）項に記載の画像記録媒体の処理装置」、（１９）「前記被管理情報又は少なくとも前記管理データが期間データ又は期日データを含むことを特徴とする前記第（５）項乃至第（７）項の何れか１に記載の画像記録媒体の処理装置」により達成される。
【手続補正４】
【補正対象書類名】明細書
【補正対象項目名】０００６
【補正方法】変更
【補正の内容】
【０００６】
また上記課題は、本発明の（２０）「支持体上に、管理データにより管理される被管理情報を目視可能な画像情報として有する記録媒体であって、該画像情報は、エネルギー印加によって複数色の画像の形成と消去が可能でありかつエネルギー印加なしに保持される可逆性カラー画像情報であり、該管理データが予め定められた数値を外れると、該画像情報の書替操作により該画像の色もしくは地肌の色が変わることを特徴とする可逆性カラー画像記録媒体」、（２１）「支持体上に、情報記憶部に格納された管理データにより被管理情報を目視可能な画像情報として有する記録媒体であって、該画像情報は、エネルギー印加によって複数色の画像の形成と消去が可能でありかつエネルギー印加なしに保持される可逆性カラー画像情報であり、該管理データが予め定められた数値を外れると、該画像情報の書替操作により該画像の色もしくは地肌の色が変わると共に、該情報記憶部に結果が更新記憶されることを特徴とすることを特徴とする可逆性カラー画像記録媒体」、（２２）「前記被管理情報が健康診断による測定結果であり、前記管理データが正常値と、異常値と、要注意値とを含み、該正常値、該異常値、該要注意値の違いにより、該被管理情報の色が異なることを特徴とする前記第（２０）項又は第（２１）項に記載の可逆性カラー画像記録媒体」、（２３）「前記被管理情報又は少なくとも前記管理データが期間データ又は期日データを含むことを特徴とする前記第（２０）項乃至第（２２）項の何れか１に記載の可逆性カラー画像記録媒体」、（２４）「前記情報記憶部に、カード保有者に係るＩＤデータを付加記憶してなることを特徴とする前記第（２３）項に記載の可逆性カラー画像記録媒体」により達成される。